【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
ユーザーにより選択された選択銘柄を携帯端末から証券システムへ送信して、前記証券システムにて、前記選択銘柄の株式の取引処理を行う株式売買システムにおいて、
前記証券システムは、
株式市場開場時に配信される各銘柄の市場価格を所定の秒間隔で受信する手段と、
市場価格の受信に応じて、受信した市場価格にスプレッドを上乗せした買付株価を算出して前記携帯端末へ送信する手段と
を備え、
前記携帯端末は、
複数の株式の銘柄を選択可能に含む銘柄一覧画面を表示する手段と、
前記銘柄一覧画面に含まれる複数の銘柄のいずれかの一つを選択する選択操作を受け付けた場合、その選択操作を受け付けた選択銘柄のみの買付に応じた買付指示部を選択可能に含む選択銘柄画面を表示する手段と、
前記買付指示部の選択操作を受け付けた場合、前記証券システムから送信された前記選択銘柄の最新の買付株価、及び選択可能な買うボタンを含む前記選択銘柄の買付用注文入力画面を表示する手段と
を備えることを特徴とする株式売買システム。
【請求項２】
前記証券システムは、
前記選択銘柄の市場価格を新たに受信することに合わせて、新たに受信した前記選択銘柄の市場価格にスプレッドを上乗せした買付株価を算出して送信する手段を備え、
前記携帯端末は、
前記証券システムから送信される前記選択銘柄の最新の買付株価を受信するごとに、前記買付用注文入力画面に含まれる買付株価を、前記証券システムから新たに受信した最新の買付株価に置き換える請求項１に記載の株式売買システム。
【請求項３】
前記証券システムは、
株式市場閉場時は、市場の終値にスプレッドを上乗せした買付価格を算出して送信する請求項１又は請求項２に記載の株式売買システム。
【請求項４】
前記証券システムは、
市場価格の受信に応じて、受信した市場価格からスプレッドを差し引いた売却株価を算出して前記携帯端末へ送信する手段を備え、
前記携帯端末は、
ユーザーが、前記選択銘柄の株式を所有する場合、前記買付指示部に加えて、前記選択銘柄のみの売却に応じた売却指示部を選択可能に含む選択銘柄画面を表示する手段と、
前記売却指示部の選択操作を受け付けた場合、前記証券システムから送信された前記選択銘柄の最新の売却株価、及び選択可能な売るボタンを含む前記選択銘柄の売却用注文入力画面を表示する手段と
を備える請求項１乃至請求項３のいずれか１項に記載の株式売買システム。
【請求項５】
前記証券システムは、
前記選択銘柄の市場価格を新たに受信することに合わせて、新たに受信した前記選択銘柄の市場価格からスプレッドを差し引いた売却株価を算出して送信する手段を備え、
前記携帯端末は、
前記証券システムから送信される前記選択銘柄の最新の売却株価を受信するごとに、前記売却用注文入力画面に含まれる売却株価を、前記証券システムから新たに受信した最新の売却株価に置き換える請求項４に記載の株式売買システム。
【請求項６】
前記証券システムは、
株式市場閉場時は、市場の終値からスプレッドを差し引いた売却価格を算出して送信する請求項４又は請求項５に記載の株式売買システム。
【請求項７】
前記証券システムは、
受信した市場価格に基づき、ユーザーの所有する全銘柄の株式に応じた評価額を算出する手段と、
前記算出した評価額に株式取引用のユーザー口座の残高を合わせた額を、評価額合計の額として前記携帯端末へ送信する手段を備え、
前記携帯端末は、
前記証券システムから送信された評価額合計の額を、前記銘柄一覧画面に含ませて表示する手段を備える請求項１乃至請求項６のいずれか１項に記載の株式売買システム。
【請求項８】
前記証券システムは、
受信した市場価格に基づき、ユーザーの所有する全銘柄の株式に応じた含み益の額を算出して前記携帯端末へ送信する手段を備え、
前記携帯端末は、
前記証券システムから送信された含み益の額を、前記銘柄一覧画面に含ませて表示する手段を備える請求項１乃至請求項７のいずれか１項に記載の株式売買システム。
【請求項９】
前記証券システムは、
株式市場開場時に受信した銘柄の市場価格に係る株価を前記携帯端末へ送信する手段を備え、
前記携帯端末は、
前記銘柄一覧画面に含まれる銘柄のそれぞれに対して、前記証券システムから送信された株価を配置する請求項１乃至請求項８のいずれか１項に記載の株式売買システム。
【請求項１０】
前記証券システムは、
株式市場開場時に受信した銘柄の市場価格に係る株価と前日の株価との変化額を算出して前記携帯端末へ送信する手段を備え、
前記携帯端末は、
前記銘柄一覧画面に含まれる銘柄のそれぞれに対して、前記証券システムから送信された変化額を配置する請求項１乃至請求項９のいずれか１項に記載の株式売買システム。
【請求項１１】
携帯端末が、ユーザーにより選択された選択銘柄を証券システムへ送信し、前記証券システムは、前記携帯端末から送信された選択銘柄の株式の取引処理を行う株式売買方法において、
前記証券システムは、
株式市場開場時に配信される各銘柄の市場価格を所定の秒間隔で受信するステップと、
市場価格の受信に応じて、受信した市場価格にスプレッドを上乗せした買付株価を算出して前記携帯端末へ送信するステップと
を実行し、
前記携帯端末は、
複数の株式の銘柄を選択可能に含む銘柄一覧画面を表示するステップと、
前記銘柄一覧画面に含まれる複数の銘柄のいずれかの一つを選択する選択操作を受け付けた場合、その選択操作を受け付けた選択銘柄のみの買付に応じた買付指示部を選択可能に含む選択銘柄画面を表示するステップと、
前記買付指示部の選択操作を受け付けた場合、前記証券システムから送信された前記選択銘柄の最新の買付株価、及び選択可能な買うボタンを含む前記選択銘柄の買付用注文入力画面を表示するステップと
を実行することを特徴とする株式売買方法。
【請求項１２】
前記証券システムは、
市場価格の受信に応じて、受信した市場価格からスプレッドを差し引いた売却株価を算出して前記携帯端末へ送信するステップを実行し、
前記携帯端末は、
ユーザーが、前記選択銘柄の株式を所有する場合、前記買付指示部に加えて、前記選択銘柄のみの売却に応じた売却指示部を選択可能に含む選択銘柄画面を表示するステップと、
前記売却指示部の選択操作を受け付けた場合、前記証券システムから送信された前記選択銘柄の最新の売却株価、及び選択可能な売るボタンを含む前記選択銘柄の売却用注文入力画面を表示するステップと
を実行する請求項１１に記載の株式売買方法。
【請求項１３】
株式市場開場時に配信される各銘柄の市場価格を所定の秒間隔で受信すると共に、前記市場価格にスプレッドを上乗せした買付株価を算出する外部の証券システムへ、ユーザーにより選択された選択銘柄を送信して、外部の証券システムで前記選択銘柄の株式の取引処理を行わせる携帯端末において、
複数の株式の銘柄を選択可能に含む銘柄一覧画面を表示する手段と、
前記銘柄一覧画面に含まれる複数の銘柄のいずれかの一つを選択する選択操作を受け付けた場合、その選択操作を受け付けた選択銘柄のみの買付に応じた買付指示部を選択可能に含む選択銘柄画面を表示する手段と、
前記買付指示部の選択操作を受け付けた場合、外部の証券システムから送信された前記選択銘柄の最新の買付株価、及び選択可能な買うボタンを含む前記選択銘柄の買付用注文入力画面を表示する手段と
を備えることを特徴とする携帯端末。
【請求項１４】
外部の証券システムは、前記選択銘柄の市場価格を新たに受信することに合わせて、新たに受信した前記選択銘柄の市場価格にスプレッドを上乗せした買付株価を算出して送信するようにしてあり、
外部の証券システムから送信される前記選択銘柄の最新の買付株価を受信するごとに、前記買付用注文入力画面に含まれる買付株価を、外部の証券システムから新たに受信した最新の買付株価に置き換える請求項１３に記載の携帯端末。
【請求項１５】
外部の証券システムは、市場価格の受信に応じて、受信した市場価格からスプレッドを差し引いた売却株価を算出して送信するようにしてあり、
ユーザーが、前記選択銘柄の株式を所有する場合、前記買付指示部に加えて、前記選択銘柄のみの売却に応じた売却指示部を選択可能に含む選択銘柄画面を表示する手段と、
前記売却指示部の選択操作を受け付けた場合、外部の証券システムから送信された前記選択銘柄の最新の売却株価、及び選択可能な売るボタンを含む前記選択銘柄の売却用注文入力画面を表示する手段と
を備える請求項１３又は請求項１４に記載の携帯端末。
【請求項１６】
外部の証券システムは、前記選択銘柄の市場価格を新たに受信することに合わせて、新たに受信した前記選択銘柄の市場価格からスプレッドを差し引いた売却株価を算出して送信するようにしてあり、
外部の証券システムから送信される前記選択銘柄の最新の売却株価を受信するごとに、前記売却用注文入力画面に含まれる売却株価を、外部の証券システムから新たに受信した最新の売却株価に置き換える請求項１５に記載の携帯端末。
【請求項１７】
外部の証券システムは、受信した市場価格に基づき、ユーザーの所有する全銘柄の株式に応じた評価額を算出すると共に、その算出した評価額に株式取引用のユーザー口座の残高を合わせた額を、評価額合計の額として送信するようにしてあり、
外部の証券システムから送信された評価額合計の額を、前記銘柄一覧画面に含ませて表示する手段を備える請求項１３至請求項１６のいずれか１項に記載の携帯端末。
【請求項１８】
外部の証券システムは、受信した市場価格に基づき、ユーザーの所有する全銘柄の株式に応じた含み益の額を算出して送信するようにしてあり、
外部の証券システムから送信された含み益の額を、前記銘柄一覧画面に含ませて表示する手段を備える請求項１３乃至請求項１７のいずれか１項に記載の携帯端末。
【請求項１９】
外部の証券システムは、株式市場開場時に受信した銘柄の市場価格に係る株価を送信するようにしてあり、
前記銘柄一覧画面に含まれる銘柄のそれぞれに対して、外部の証券システムから送信された株価を配置する請求項１３至請求項１８のいずれか１項に記載の携帯端末。
【請求項２０】
外部の証券システムは、株式市場開場時に受信した銘柄の市場価格に係る株価と前日の株価との変化額を算出して送信するようにしてあり、
前記銘柄一覧画面に含まれる銘柄のそれぞれに対して、外部の証券システムから送信された変化額を配置する請求項１３乃至請求項１９のいずれか１項に記載の携帯端末。
【請求項２１】
株式市場開場時に配信される各銘柄の市場価格を所定の秒間隔で受信すると共に、前記市場価格にスプレッドを上乗せした買付株価を算出する外部の証券システムへ、携帯端末がユーザーにより選択された選択銘柄を送信して、外部の証券システムで前記選択銘柄の株式の取引処理を行わせる株式売買方法において、
前記携帯端末は、
複数の株式の銘柄を選択可能に含む銘柄一覧画面を表示するステップと、
前記銘柄一覧画面に含まれる複数の銘柄のいずれかの一つを選択する選択操作を受け付けた場合、その選択操作を受け付けた選択銘柄のみの買付に応じた買付指示部を選択可能に含む選択銘柄画面を表示するステップと、
前記買付指示部の選択操作を受け付けた場合、外部の証券システムから送信された前記選択銘柄の最新の買付株価、及び選択可能な買うボタンを含む前記選択銘柄の買付用注文入力画面を表示するステップと
を実行することを特徴とする株式売買方法。
【請求項２２】
外部の証券システムは、前記選択銘柄の市場価格を新たに受信することに合わせて、新たに受信した前記選択銘柄の市場価格にスプレッドを上乗せした買付株価を算出して送信し、
前記携帯端末は、
外部の証券システムから送信される前記選択銘柄の最新の買付株価を受信するごとに、前記買付用注文入力画面に含まれる買付株価を、外部の証券システムから新たに受信した最新の買付株価に置き換えるステップを実行する請求項２１に記載の株式売買方法。
【請求項２３】
外部の証券システムは、市場価格の受信に応じて、受信した市場価格からスプレッドを差し引いた売却株価を算出して送信し、
前記携帯端末は、
ユーザーが、前記選択銘柄の株式を所有する場合、前記買付指示部に加えて、前記選択銘柄のみの売却に応じた売却指示部を選択可能に含む選択銘柄画面を表示するステップと、
前記売却指示部の選択操作を受け付けた場合、外部の証券システムから送信された前記選択銘柄の最新の売却株価、及び選択可能な売るボタンを含む前記選択銘柄の売却用注文入力画面を表示するステップと
を実行する請求項２１又は請求項２２に記載の株式売買方法。
【請求項２４】
外部の証券システムは、前記選択銘柄の市場価格を新たに受信することに合わせて、新たに受信した前記選択銘柄の市場価格からスプレッドを差し引いた売却株価を算出して送信し、
前記携帯端末は、
外部の証券システムから送信される前記選択銘柄の最新の売却株価を受信するごとに、前記売却用注文入力画面に含まれる売却株価を、外部の証券システムから新たに受信した最新の売却株価に置き換えるステップを実行する請求項２３に記載の株式売買方法。
【請求項２５】
外部の証券システムは、受信した市場価格に基づき、ユーザーの所有する全銘柄の株式に応じた評価額を算出すると共に、その算出した評価額に株式取引用のユーザー口座の残高を合わせた額を、評価額合計の額として送信し、
前記携帯端末は、
外部の証券システムから送信された評価額合計の額を、前記銘柄一覧画面に含ませて表示するステップを実行する請求項２１至請求項２４のいずれか１項に記載の株式売買方法。
【請求項２６】
外部の証券システムは、受信した市場価格に基づき、ユーザーの所有する全銘柄の株式に応じた含み益の額を算出して送信し、
前記携帯端末は、
外部の証券システムから送信された含み益の額を、前記銘柄一覧画面に含ませて表示するステップを実行する請求項２１乃至請求項２５のいずれか１項に記載の株式売買方法。
【請求項２７】
外部の証券システムは、株式市場開場時に受信した銘柄の市場価格に係る株価を送信し、
前記携帯端末は、
前記銘柄一覧画面に含まれる銘柄のそれぞれに対して、外部の証券システムから送信された株価を配置するステップを実行する請求項２１至請求項２６のいずれか１項に記載の株式売買方法。
【請求項２８】
外部の証券システムは、株式市場開場時に受信した銘柄の市場価格に係る株価と前日の株価との変化額を算出して送信し、
前記携帯端末は、
前記銘柄一覧画面に含まれる銘柄のそれぞれに対して、外部の証券システムから送信された変化額を配置するステップを実行する請求項２１乃至請求項２７のいずれか１項に記載の株式売買方法。
【請求項２９】
コンピュータに、ユーザーに選択された選択銘柄を、株式市場開場時に配信される複数銘柄の市場価格を所定の秒間隔で受信すると共に、前記市場価格にスプレッドを上乗せした買付株価を算出する外部の証券システムへ送信する処理を行わせて、外部の証券システムが前記選択銘柄の株式の取引処理を行うようにするためのコンピュータプログラムにおいて、
前記コンピュータに、
複数の株式の銘柄を選択可能に含む銘柄一覧画面を表示するステップと、
前記銘柄一覧画面に含まれる複数の銘柄のいずれかの一つを選択する選択操作を受け付けた場合、その選択操作を受け付けた選択銘柄のみの買付に応じた買付指示部を選択可能に含む選択銘柄画面を表示するステップと、
前記買付指示部の選択操作を受け付けた場合、外部の証券システムから送信された前記選択銘柄の最新の買付株価、及び選択可能な買うボタンを含む前記選択銘柄の買付用注文入力画面を表示するステップと
を実行させることを特徴とするコンピュータプログラム。
【手続補正２】
【補正対象書類名】明細書
【補正対象項目名】発明の名称
【補正方法】変更
【補正の内容】
【発明の名称】株式売買システム、株式売買方法、携帯端末、及びコンピュータプログラム